(57)【特許請求の範囲】
【請求項１】
各住戸に、自己復旧型の火災感知器、該火災感知器を感知器回線を介して接続する中継器、及び該中継器が前記火災感知器の発報を受信した際に出力する作動信号を受信して火災警報を行うと共に住戸からの電源供給を受けて動作する住戸用受信機を少なくとも設け、管理人室等の中央に前記中継器からの火災確定信号を受信して火災警報を行う住棟用受信機を設け、前記各住戸の火災感知器及び中継器を住棟用受信機からの電源供給により動作するように接続した共同住宅用火災報知システムにあって、
前記住戸用受信機に、通常時に前記中継器に有電圧信号を出力し、前記中継器からの作動信号を受信してタイマを起動してタイムアップした場合及び住戸用受信機への電源供給が停止した場合の各々について前記有電圧信号を遮断する受信機回路部を設け、
前記中継器に、前記火災感知器の発報を受信した際に、前記住戸用受信機からの有電圧信号を検出している場合には住戸用受信機に作動信号を出力し、その後に住戸用受信機からの有電圧信号の遮断を検出した場合には火災確定信号を前記住棟用受信機に出力し、また前記火災感知器の発報を受信した際に、前記住戸用受信機からの有電圧信号の遮断を検出している場合には、直ちに火災確定信号を住棟用受信機に出力して前記住棟用受信機で火災警報を行わせる中継器回路部を設けたことを特徴とする共同住宅用火災報知システム。
【請求項２】
請求項１記載の共同住宅用火災報知システムに於いて、前記住戸用受信機の受信機回路部は、前記タイマの起動中に火災確認スイッチの操作を検出した場合は、タイマ設定時間に関係なく直ちに前記中継器に出力している有電圧信号を遮断することを特徴とする共同住宅用火災報知システム。
【請求項３】
請求項１記載の共同住宅用火災報知システムに於いて、前記住戸用受信機の受信機回路部は、前記タイマの起動中に復旧スイッチの操作を検出した場合は、前記中継器からの作動信号を受信していないことを条件に復旧処理を行うことを特徴とする共同住宅用火災報知システム。
【請求項４】
請求項１又は２記載の共同住宅用火災報知システムに於いて、
前記住戸用受信機の受信機回路部は、信号線を介して前記中継器に設けたフォトカプラの発光素子に有電圧信号を出力して発光駆動し、前記タイマがタイムアップした場合、タイマ起動中に火災確認スイッチの操作を検出した場合及び住戸用受信機への電源供給が停止した場合の各々について前記有電圧信号を遮断して前記フォトカプラの発光駆動を停止し、
前記中継器の中継器回路部は、前記フォトカプラの受光素子の受光出力がなくなったことで前記有電圧信号の遮断を検出することを特徴とする共同住宅用火災報知システム。
【請求項５】
請求項１乃至４記載の共同住宅用火災報知システムに於いて、
前記住戸用受信機の受信機回路部は、前記中継器からの作動信号を所定時間継続して受信した場合に該作動信号を自己保持すると共に前記中継器に保持信号を出力し、前記中継器からの作動信号を所定時間継続して受信できなかった場合に復旧処理を行い、
前記中継器の中継器回路部は、前記火災感知器からの発報信号を受信した際に、住戸用受信機からの有電圧信号を検出していた場合は前記住棟用受信機に対する火災確定信号の出力許容状態を作り出し、該出力許容状態で前記住戸用受信機からの前記保持信号を受信して前記出力許容状態を保持し、該出力許容状態を保持した状態で前記住戸用受信機からの有電圧信号の遮断を検出した場合に、前記住棟用受信機に火災確定信号を出力し、続いて前記住棟用受信機の火災受信に基づいて出力される確認信号（火災代表信号）を受信した場合に、前記住戸用受信機からの保持信号の入力を遮断すると共に前記出力許容状態を継続保持し、更に住戸用受信機への作動信号を継続保持することを特徴とする共同住宅用火災報知システム。
【請求項６】
請求項５記載の共同住宅用火災報知システムに於いて、前記中継器の中継器回路部は、前記住棟用受信機からの確認信号が断たれた際に、前記火災確定信号の出力許容状態の保持および前記住戸用受信機への作動信号の保持の各々を解除することを特徴とする共同住宅用火災報知システム。
【請求項７】
請求項６記載の共同住宅用火災報知システムに於いて、前記住戸用受信機の受信機回路部は、前記中継器に保持信号を出力した後に住棟用受信機からの確認信号に基づく中継器側での該保持信号の遮断を検出すると、前記中継器からの作動信号が断たれた際に初期状態に復旧することを特徴とする共同住宅用火災報知システム。
【請求項８】
請求項５乃至７のいずれかに記載の共同住宅用火災報知システムに於いて、
前記中継器の中継器回路部は、前記住戸用受信機から保持信号を受信すると、戸外表示器に電源供給兼信号線を介して通常時供給している所定の電源電圧とは異なる電源電圧となる火災信号を出力し、
前記戸外表示器は、通常時に電源供給兼信号線により所定の電源電圧を前記中継器から受けて動作しており、通常時の電源電圧とは異なる電源電圧の火災信号を検出すると、火災灯を点滅することを特徴とする共同住宅用火災報知システム。
【請求項９】
各住戸に設けられ、住棟用受信機からの電源供給を受けて動作する自己復旧型の火災感知器を感知器回線を介して接続し、前記火災感知器の発報を受信した際に作動信号を住戸からの電源供給を受けて動作する住戸用受信機に出力して火災警報を行わせ、更に、管理人室等の中央に設けられた住棟用受信機に火災確定信号を出力して火災警報を行わせ、前記住棟用受信機からの電源供給により動作するように接続した共同住宅用火災報知システムの中継器に於いて、
前記火災感知器の発報を受信した際に、前記住戸用受信機からの有電圧信号を検出している場合には住戸用受信機に作動信号を出力し、その後に住戸用受信機からの有電圧信号の遮断を検出した場合には火災確定信号を前記住棟用受信機に出力し、また前記火災感知器の発報を受信した際に、前記住戸用受信機からの有電圧信号の遮断を検出している場合には、直ちに火災確定信号を住棟用受信機に出力して前記住棟用受信機で火災警報を行わせる中継器回路部を設けたことを特徴とする共同住宅用火災報知システムの中継器。
【請求項１０】
請求項９記載の共同住宅用火災報知システムの中継器に於いて、前記中継器の中継器回路部は、前記火災感知器からの発報信号を受信した際に、住戸用受信機からの有電圧信号を検出している場合は前記住棟用受信機に対する火災確定信号の出力許容状態を作り出し、該出力許容状態で前記住戸用受信機からの前記保持信号を受信して前記出力許容状態を保持し、該出力許容状態を保持した状態で前記住戸用受信機からの有電圧信号の遮断を検出した場合に、前記住棟用受信機に火災確定信号を出力し、続いて前記住棟用受信機の火災受信に基づいて出力される確認信号（火災代表信号）を受信した場合に、前記住戸用受信機からの保持信号を遮断すると共に前記出力許容状態を継続保持し、更に住戸用受信機への作動信号を継続保持することを特徴とする共同住宅用火災報知システムの中継器。
【発明の詳細な説明】
【０００１】
【発明の属する技術分野】
本発明は、住戸毎に火災感知器、中継器、住戸用受信機、及びインターホン設備を設けて個別監視し、中央の管理人室等に住棟用受信機を設けて集中監視する共同住宅用火災報知システムに関する。
【０００２】
【従来の技術】
従来の共同住宅用の火災報知システムにあっては、住戸に設けられた火災感知器が発報すると、住戸内に設置している住宅情報盤（住戸用受信機）やドアホンで警報報知が行われる。同時に住宅情報盤やドアホンを介し直ちに管理人室等の中央に設置された防災情報を集中監視する住棟用受信機に発報信号が送られる。発報信号を受けた住棟用受信機は、例えば出火階及び直上階に設置されている地区ベルを鳴動して火災発生を報知する。
【０００３】
また、最近にあっては、地区ベルに代えて音声による警報システムが求められるようになって来ている。例えば特開平４−３５０８００号のシステムにあっては、火災発生時に管理人室等に設置した住棟用受信機からの発報移報信号の送出による制御で、出火階及び直上階等の警報報知を必要とする住戸に対し、玄関先に設置しているドアホン子器のスピーカを住棟用受信機からの音声警報用の信号線に切り替え「ウーウー、火災が発生しました」等の音声警報を出させている。
【０００４】
同時に住棟用受信機は、警報報知を必要とする各住戸内に設置している住宅情報盤に対しても発報移報信号を送り、住戸内でも警報報知を行わせる。
【０００５】
【発明が解決しようとする課題】
しかしながら、このような従来の共同住宅用火災報知システムにあっては、通常の住宅情報盤は、各住戸の電源で動作しているため、火災感知器が住宅情報盤に接続され電源を供給されて動作するようなシステムにあっては、住戸が空きになっている等で住戸の電源が切られている場合には住宅情報盤及び火災感知器は電源の供給を受けることができず、その住戸での火災は全く監視できないという問題があった。
【０００６】
本発明は、このような従来の問題点に鑑みてなされたもので、住戸側で電源が切られていても確実に火災が監視できるようにした共同住宅用火災報知システムを提供することを目的とする。
【０００７】
【課題を解決するための手段】
この目的を達成するため本発明は次のように構成する。まず本発明は、各住戸に、火災を検出している間だけ発報信号を出力する自己復旧型の火災感知器、火災感知器を感知器回線を介して接続する中継器、及び中継器が火災感知器の発報を受信した際に出力する作動信号を受信して火災警報を行うと共に住戸からの電源供給を受けて動作する住戸用受信機を少なくとも設け、管理人室等の中央に中継器からの火災確定信号を受信して火災警報を行う住棟用受信機を設け、各住戸の火災感知器及び中継器を住棟用受信機からの電源供給により動作するように接続した共同住宅用火災報知システムを対象とする。
【０００８】
このような共同住宅用火災報知システムとして本発明にあっては、各住戸の住戸用受信機に、通常時に中継器に有電圧信号を出力し、中継器からの作動信号を受信してタイマを起動してタイムアップした場合及び住戸用受信機への電源供給が停止した場合の各々について、有電圧信号を遮断する受信機回路部を設ける。また中継器には、火災感知器の発報を受信した際に、住戸用受信機からの有電圧信号を検出している場合には住戸用受信機に作動信号を出力し、その後、住戸用受信機からの有電圧信号の遮断を検出した場合には火災確定信号を住棟用受信機に出力し、また火災感知器の発報を受信した際に、住戸用受信機からの有電圧信号の遮断を検出している場合には、直ちに火災確定信号を住棟用受信機に出力して住棟用受信機で火災警報を行わせる中継器回路部を設ける。
【０００９】
このように本発明の共同住宅用火災報知システムは、住戸用受信機から中継器への火災確定の移報信号に有電圧信号を使用し、有電圧信号の遮断を中継器で検出した場合に、住戸用受信機から火災確定の移報が行われたと判断しているため、住戸用受信機の停電時による有電圧信号の遮断時にも、火災感知器の発報を受信した際に直ちに火災確定信号を住棟用受信機に出力して住棟用受信機で火災警報を行なわせることができ、住戸側が停電しても住棟用受信機による直接的な監視ができるため、高い信頼性が得られる。
【００１０】
住戸用受信機の受信機回路部は、２〜５分程度の時間設定が行われたタイマの起動中に火災確認スイッチの操作を検出した場合は、タイマ設定時間に関係なく直ちに中継器に出力している有電圧信号を遮断して火災確定信号を住棟用受信機に出力させる。即ち、火災確認のために火災確定出力をタイマで遅延させているが、遅延中に居住者による火災確認スイッチの操作があれば、火災確定信号の出力を優先させる。
【００１１】
また住戸用受信機の受信機回路部は、タイマの起動中に復旧スイッチの操作を検出した場合は、中継器からの作動信号を受信していないことを条件に復旧処理を行う。このため、火災感知器の誤報により住戸用受信機で火災警報が出された場合でも、火災確定信号を中継器から出力させるまでのタイマ設定時間の間であれば、住戸用受信機側でのリセットができ、火災感知器が誤って発報した場合の中央側および周辺住戸に対する警報報知を未然に防止できる。
【００１２】
住戸用受信機の受信機回路部は、具体的には信号線を介して中継器に設けたフォトカプラの発光素子に有電圧信号を出力して発光駆動する。そして、タイマがタイムアップした場合、タイマの起動中に火災確認スイッチの操作を検出した場合及び住戸用受信機への電源供給が停止した場合の各々について、有電圧信号を遮断してフォトカプラの発光駆動を停止する。このため中継器の中継器回路部は、フォトカプラの受光素子の受光出力がなくなったことで、有電圧信号の遮断を検出する。
【００１３】
更に本発明は、自己復旧型の火災感知器を使用していることから、住戸用受信機の受信機回路部は、中継器からの作動信号を所定時間、例えば１０秒継続して受信した場合に作動信号を自己保持すると共に中継器に保持信号を出力し、一方、中継器からの作動信号を所定時間、例えば１０秒継続して受信できなかった場合は作動信号が断たれた時に復旧処理を行う。
【００１４】
また中継器の中継器回路部は、火災感知器からの発報信号を受信した際に、住戸用受信機からの有電圧信号を検出している場合は住棟用受信機に対する火災確定信号の出力許容状態を作り出し、この出力許容状態で住戸用受信機からの保持信号を受信して出力許容状態を保持し、更に、この出力許容状態を保持した状態で住戸用受信機からの有電圧信号の遮断を検出した場合に、住棟用受信機に火災確定信号を出力する。
【００１５】
続いて中継器の中継器回路部は、住棟用受信機の火災受信に基づいて出力される確認信号（火災代表信号）を受信した場合に、住戸用受信機からの保持信号の入力を遮断すると共に、火災確定信号の出力許容状態の保持を継続し、更に住戸用受信機への作動信号の出力を継続して保持する。
また中継器の中継器回路部は、住棟用受信機からの確認信号が断たれた際に、火災確定信号の出力許容状態の保持および住戸用受信機への作動信号の保持の各々を解除する。このため、中継器の保持解除は、住棟用受信機からしかできず、したがって火災感知器が復旧しても中継器の保持は解除されないため、住戸側で火災発報があった後の現場調査等が確実にできる。
【００１６】
更に、住戸用受信機の受信機回路部は、中継器に保持信号を出力した後に住棟用受信機からの確認信号に基づく中継器側での保持信号の遮断を検出すると、中継器からの作動信号が断たれた際に初期状態に復旧する。このため住戸用受信機は住棟用受信機から復旧することができ、不在住戸の誤報等に対し住戸内に入らなくとも初期状態に復旧できる。
【００１７】
また本発明は、住戸用受信機に対しドアホン子器として設けている戸外表示器の火災灯を制御する。即ち、中継器の中継器回路部は、住戸用受信機から保持信号を受信すると、住戸用受信機の戸外表示器に電源供給兼信号線を介して通常時供給している所定の電源電圧とは異なる電源電圧となる火災信号を出力する。戸外表示器は、通常、電源供給兼信号線によって所定の電源電圧を中継器から受けて動作しており、通常時の電源電圧とは異なる電源電圧の火災信号を検出すると、火災灯を点滅する。
【００１８】
また本発明は、各住戸に設けられ、住棟用受信機からの電源供給を受けて動作する自己復旧型の火災感知器を感知器回線を介して接続し、火災感知器の発報を受信した際に作動信号を住戸からの電源供給を受けて動作する住戸用受信機に出力して火災警報を行わせ、更に管理人室等の中央に設けられた住棟用受信機に火災確定信号を出力して火災警報を行わせ、住棟用受信機からの電源供給により動作するように接続した共同住宅用火災報知システムの中継器を提供する。
【００１９】
このような中継器として本発明にあっては、火災感知器の発報を受信した際に、住戸用受信機からの有電圧信号を検出している場合には住戸用受信機に作動信号を出力し、その後に住戸用受信機からの有電圧信号の遮断を検出した場合には火災確定信号を住棟用受信機に出力し、また火災感知器の発報を受信した際に、住戸用受信機からの有電圧信号の遮断を検出している場合には、直ちに火災確定信号を住棟用受信機に出力して住棟用受信機で火災警報を行わせる中継器回路部を設けたことを特徴とする。
【００２０】
この中継器の中継器回路部は、火災感知器からの発報信号を受信した際に、住戸用受信機からの有電圧信号を検出している場合は住棟用受信機に対する火災確定信号の出力許容状態を作り出し、この出力許容状態で住戸用受信機からの保持信号を受信して火災確定信号の出力許容状態を保持し、この出力許容状態を保持した状態で住戸用受信機からの有電圧信号の遮断を検出した場合に、住棟用受信機に火災確定信号を出力する。
【００２１】
続いて中継器回路部は、住棟用受信機の火災受信に基づいて出力される確認信号（火災代表信号）を受信した場合に、住戸用受信機からの保持信号を遮断すると共に、火災確定信号の出力許容状態を継続保持し、更に住戸用受信機への作動信号を継続保持する。
【００２２】
【発明の実施の形態】
＜目    次＞
１．システム構成
２．中継器と住戸用受信機
３．住棟用受信機
４．システム動作
５．断線監視
１．システム構成
図１は本発明の共同住宅用火災報知システムのシステム構成図である。図１において、管理人室などの中央側には、各住戸を集中監視するための住棟用受信機１が設置されている。一方、各住戸Ａ１〜Ａｎ側には、例えば住戸Ａ１に代表して示すように、中継器２ａ、住戸用受信機３ａ及び戸外表示器４ａが設けられている。
【００２３】
中継器２ａからは感知器回線６ａが引き出され、１または複数の火災感知器５ａを接続している。火災感知器５ａは自己復旧型の火災感知器である。即ち自己復旧型の火災感知器５ａは、火災による例えば煙を検出している間、感知器回線６ａに発報信号としての発報電流を流し、火災による煙を検出できなくなると感知器自身で復旧して発報電流を停止する。
【００２４】
住戸用受信機３ａは火災感知器５ａが発報した際に、中継器２ａから感知器作動信号（以下、単に「作動信号」という）Ｅ１を受けて警報表示を行う。この作動信号Ｅ１の受信に対し、住戸用受信機３ａには蓄積用の第１タイマを設けており、例えば１０秒間継続して作動信号Ｅ１が得られたときに作動信号を保持し、更に中継器２ａに対し保持信号Ｅ２を出力し、中継器２ａ側についても保持動作を行わせる。
【００２５】
また住戸用受信機３ａは、中継器２ａからの作動信号Ｅ１の受信と同時に２〜５分の時間設定をもつ第２タイマを起動し、第２タイマの起動中に復旧スイッチが操作されなければ、中継器２ａに出力している有電圧信号Ｅ２を遮断して火災確定を通知する。また第２タイマの起動中に住戸用受信機３ａに設けている火災確定スイッチを操作した場合には、第２タイマに関係なく有電圧信号Ｅ２を遮断して火災確定を中継器２ａに通知する。
【００２６】
中継器２ａは、火災感知器５ａの発報受信を行い、住戸用受信機３ａへ作動信号Ｅ１を出力した後、住戸用受信機３ａから保持信号Ｅ２が得られ、続いて有電圧信号Ｅ３の遮断による火災確定を検出すると、住棟用受信機１に対し火災確定信号Ｅ４を出力する。この火災確定信号Ｅ４に対し住棟用受信機１側で火災受信が行われると、確認信号Ｅ５が中継器２ａに返送される。
【００２７】
住棟用受信機１からの確認信号Ｅ５を受信した中継器２ａは、住戸用受信機３ａからの保持信号Ｅ２及び有電圧信号Ｅ３の遮断に基づく火災確定信号出力の保持状態を継続できるように自己保持し、住戸用受信機３ａからの保持信号Ｅ２による保持状態を切り離す。
このように中継器２ａにおける火災確定信号の出力状態の保持が、住戸用受信機３ａからの保持信号Ｅ２に基づく保持から住棟用受信機１から受信した確認信号Ｅ５に基づく保持に切り替わることで、住戸用受信機３ａによる中継器２ａの復旧動作を禁止し、中継器２ａの復旧動作は住棟用受信機１からの確認信号Ｅ４の遮断によってのみできるように切り替える。
【００２８】
このため中継器２ａから住棟用受信機１に火災確定信号Ｅ４が出力されて住棟用受信機１で火災警報表示が行われた後は、中継器２ａの復旧は住棟用受信機１からしかできず、住戸用受信機３ａによって居住者が復旧処理を行ってしまうことを防止し、例えば火災感知器５ａが誤報により発報した場合などの発報住戸の調査などを容易に行うことができる。
【００２９】
戸外表示器４ａは中継器２ａからの火災信号Ｅ８を受けて、内蔵している火災灯を点滅する。中継器２ａからの火災信号Ｅ８は、住戸用受信機３ａから保持信号Ｅ２を受けた際の保持動作に伴って出力される。
ここで住棟用受信機１と各住戸Ａ１〜Ａｎとの間は、電源線８、火報信号線９、確認信号線１０、制御信号線１１及び音声警報信号線１２で接続されている。即ち、住棟用受信機１からの電源線８には住戸Ａ１〜Ａｎ側の中継器２ａ〜２ｎが接続されており、中継器２ａ〜２ｎは住戸からの電源供給ではなく中央側の住棟用受信機１からの電源供給で動作している。
【００３０】
このため、住戸側に停電があっても中継器２ａ〜２ｎは正常に動作し、且つ感知器回線６ａ〜６ｎに接続している自己復旧型の火災感知器５ａ〜５ｎによる火災監視が正常にできる。火報信号線９は中継器２ａ〜２ｎから出力される火災確定信号Ｅ４を住棟用受信機１に送る。確認信号線１０は住棟用受信機１で中継器２ａ〜２ｎのいずれかからの火災確定信号Ｅ４を受信した際の確認信号Ｅ５を中継器側に出力する。この確認信号Ｅ５としては、具体的には、住棟用受信機１における火災代表信号を使用する。
【００３１】
更に本発明の火災報知システムにあっては、住戸用受信機３ａ〜３ｎ及び戸外表示器４ａ〜４ｎにインターホン用のスピーカが設けられていることから、このスピーカを使用して住棟用受信機１から火災受信に対する音声警報を行うようにしている。
住戸側における音声警報の出し方は、例えば出火階とその直上階について音声警報を行う。また住戸用受信機３ａ〜３ｎと戸外表示器４ａ〜４ｎからの音声警報の出し方としては、出火住戸については住戸用受信機と戸外表示器の両方から音声警報を出し、他の住戸については住戸用受信機のみから音声警報を出す。もちろん、音声警報を行う住戸の形態は必要に応じて適宜に定めることができる。
【００３２】
このような住戸側に対する音声警報のため、住棟用受信機１から音声警報の出力先を制御する制御信号線１１が引き出されている。制御信号線１１は、階別といった警戒区域毎に引き出される。図１は住戸Ａ１〜Ａｎを同一階とした場合を例にとっており、制御信号Ｅ６を出力して制御する。
また音声警報信号線１２が住戸Ａ１〜Ａｎの住戸用受信機３ａ〜３ｎ及び戸外表示器４ａ〜４ｎに接続されて音声警報信号Ｅ７を供給しており、制御信号線１１による制御信号Ｅ６ａに基づいて各スピーカに対する音声警報信号線１２の切替接続が行われ、音声信号に基づいた音声メッセージ例えば「ウーウー、火事です、火事です。１階で火災が発生しました。安全を確認して避難してください。」等の警報メッセージが出力される。
【００３３】
更に住戸Ａ１〜Ａｎに設けた中継器２ａ〜２ｎの間には、断線検出渡り線１３が順次接続されている。即ち、中継器２ａ〜２ｎのそれぞれには火災感知器５ａ〜５ｎを接続した感知器回線６ａ〜６ｎの断線検出回路が設けられており、感知器回線の断線を検出すると、後段の中継器に対し断線検出渡り線１３を介して断線検出信号を出力する。
【００３４】
この感知器回線の断線を検出した中継器２ａからの断線検出信号は、断線検出渡り線１３を介して最終段の中継器２ｎに通知され、断線検出信号を受信した最終段の中継器２ｎの断線検出回路は、住棟用受信機１からの火報信号線９に接続している断線検出用の終端抵抗を切り離して疑似的な断線状態を作り出すことで、住棟用受信機１に対し中継器側での感知器回線の断線を通知できるようにしている。
【００３５】
次に図１の本発明による火災報知システムの詳細を、図２、図３及び図４を参照して説明する。
２．中継器と住戸用受信機
図２は図１の住戸Ａ１に設けた中継器２ａ、住戸用受信機３ａ及び戸外表示器４ａの具体的な実施形態である。
【００３６】
中継器２ａからは感知器回線６ａが引き出され、感知器回線６ａに対し自己復旧型の火災感知器５ａを並列的に接続している。自己復旧型の火災感知器５ａ，５ａは、火災による例えば煙などを検出すると、感知器回線６ａ間を低インピーダンスに短絡し、発報電流を流す。感知器回線６ａは中継器２ａに設けた受信回路１４に接続されており、火災感知器５ａの発報により発報電流が流れると、受信回路１４に設けている受信リレーＬを作動する。
【００３７】
感知器回線６ａに対する電源供給は、住棟用受信機１からの電源線８を定電圧回路１６及び保持リレー回路１５を介して接続することで行っている。また感知器回線６ａの断線検出のため、最終端の火災感知器５ａには断線検出用の終端抵抗７が接続されており、感知器回線６ａ及び終端抵抗７を介して流れる微弱な電流を断線検出回路２２で監視し、断線を検出するとリレーＤを作動する。この断線検出については後の説明で更に明らかにされる。
【００３８】
火災感知器５ａの発報により受信回路１４の受信リレーＬが作動すると、そのリレー接点ｌが閉じ、住戸用受信機３ａに作動信号Ｅ１を出力する。また受信回路１４の受信リレーＬの作動と同時に保持リレー回路１５の保持リレーＭも作動し、そのリレー接点ｍ１，ｍ２を閉じ、火災確定信号の出力許容状態及び作動信号の保持許容状態を作り出す。
【００３９】
住戸用受信機３ａには中継器２ａからの作動信号Ｅ１に対応して受信回路３０が設けられ、作動信号Ｅ１を受けると受信リレーＲを作動する。受信リレーＲの作動は制御部３２で検出され、火災警報を行う。この火災警報は表示部３８の火災灯を点滅し、同時に音声合成回路５２を起動して増幅器５４により音声信号を増幅し、スピーカ５６から例えば「感知器が発報しました。確認してください。誤報の場合は復旧スイッチを押してください。」といった音声メッセージを出力させる。
【００４０】
また受信リレーＲの作動を検出すると、制御部３２は第１タイマ３４と第２タイマ３６を起動する。第１タイマ３４は例えば１０秒間の時間設定が行われた蓄積タイマであり、第１タイマ３４で設定された１０秒間継続して受信リレーＲの作動状態が得られると、制御部３２は、作動信号Ｅ１の受信状態を保持すると共に、保持リレーＨを作動し、そのリレー接点ｈを閉じて、中継器２ａに対し保持信号Ｅ２を出力する。
【００４１】
尚、制御部３２は、第１タイマ３４で設定された１０秒間継続して受信リレーＲの作動状態が得られなかった場合には、作動信号Ｅ１が断たれ受信リレーＲが作動しなくなった時点で、第１タイマ３４、第２タイマ３６のクリアも含め、住戸用受信機３の各回路部を初期状態に復旧させる。
中継器２ａに対する保持信号Ｅ２の信号線は、通常時は抵抗４８で終端されており、リレー接点ｈを介して抵抗４８にフォトカプラ４６のフォトダイオードを並列接続している。このため定常監視状態にあっては、保持信号Ｅ２はＨレベルになっている。この状態で制御部３２が保持リレーＨを作動してリレー接点ｈを閉じると、フォトカプラ４６のフォトダイオードの並列接続により保持信号Ｅ２はＬレベルに立ち下がり、これが保持信号Ｅ２として中継器２ａに出力される。
【００４２】
またリレー接点ｈを閉じることで中継器２ａ側からの電源供給によりフォトカプラ４６のフォトダイオードが発光駆動され、フォトトランジスタのオンにより制御部３２に対するフォトカプラ４６の出力がＬレベルからＨレベルに立ち上がり、これによって制御部３２は中継器２ａに対する保持信号Ｅ２の出力を認識することができる。
【００４３】
制御部３２は、第２タイマ３６が作動信号Ｅ１の受信による起動から予め設定した２〜５分の範囲内の所定時間でタイムアップすると、火災確定リレーＫを作動し、そのリレー接点ｋを開き、中継器２ａに対し有電圧信号Ｅ３の遮断出力を行う。中継器２ａに対する有電圧信号Ｅ３は、通常時、住戸用受信機３ａの電源部６２からの電源電圧＋１２Ｖであり、火災確定リレーＫが作動してリレー接点ｋが開くと、有電圧信号Ｅ３は無電圧に立ち下がる。
【００４４】
このような有電圧信号Ｅ３の遮断により、中継器２ａに対し住戸用受信機３ａから火災確定を通知する。火災確定を示す有電圧信号Ｅ３の遮断は、制御部３２に設けている火災確定スイッチ４０を操作した場合にも行われる。即ち、第２タイマ３６の起動中に火災確定スイッチ４０をオン操作すると、制御部３２は、このオン操作を検出して直ちに火災確定リレーＴを作動してリレー接点ｔを開き、中継器２ａに対する有電圧信号Ｅ３を遮断して、同様に火災確定を通知する。
【００４５】
住戸用受信機３ａの制御部３２には、火災確定スイッチ４０に加えて更に、復旧スイッチ４２と音響停止スイッチ４４が設けられている。住戸用受信機３ａで作動信号Ｅ１を受信して火災警報が行われた際に、第２タイマ３６がタイムアップする前に復旧スイッチ４２をオン操作すると、作動信号Ｅ１を受信していないこと、即ち、受信回路３０の受信リレーＲの受信作動が行われていないことを条件に、直ちに或いは第２タイマ３６のタイムアップ時に、住戸用受信機３ａの各回路部を初期状態に復旧させる。
【００４６】
これに対し復旧スイッチ４２をオン操作しても、受信リレーＲの受信作動が行われている場合には、復旧スイッチ４２の操作を無効とし、火災確定リレーＫの作動でそのリレー接点ｋを開いて中継器２ａに対する有電圧信号Ｅ３を遮断して、火災確定を通知する。更に音響停止スイッチ４４は、住戸用受信機３ａの火災警報中にオン操作することでスピーカ５６からの音声メッセージを停止することができる。
【００４７】
住戸用受信機３ａからの第１タイマ３４のタイムアップ時に出力される保持信号Ｅ２に対し、中継器２ａには保持回路２０が設けられている。保持回路２０はリレーＦのリレー接点ｆ２を介して住戸用受信機３ａからの保持信号Ｅ２を受け、保持信号Ｅ２がＬレベルとなったときに動作して、保持リレー回路１５に設けている保持リレーＭの作動状態を作り出す。
【００４８】
即ち、住戸用受信機２ａから保持信号Ｅ２を受けた後に火災感知器５ａが復旧して、これに伴い受信回路１４の受信リレーＬが復旧しても、保持リレー回路１５の保持リレーＭの作動状態を継続的に保持する状態を作り出す。また保持回路２０は住戸用受信機３ａから保持信号Ｅ２を受けた際に、戸外表示器４ａに対し火災信号Ｅ８を出力して火災灯６６の点滅を行わせる。火災信号Ｅ８の出力は、通常時の電源電圧＋１２Ｖをより高い＋２４Ｖに切り替えることで行う。
【００４９】
中継器２ａは、保持信号Ｅ２に基づく出力許容状態の保持状態で住戸用受信機２ａから出力されている有電圧信号Ｅ３の遮断による火災確定を検出すると、住棟用受信機に対し火災確定信号Ｅ４を出力する。具体的には、住戸用受信機３ａから有電圧信号Ｅ３はフォトカプラ１８のフォトダイオードに入力されており、通常時は有電圧信号Ｅ３によりフォトダイオードの発光駆動が行われ、フォトトランジスタのオンによりフォトカプラ１８のインバータ２５への出力はＬレベルとなっている。
【００５０】
このため、インバータ２５の出力は、Ｈレベルであるため、保持リレーＭの作動によりリレー接点ｍ２は既に閉じられて出力許容状態となっているものの、火災確定移報リレーＳは非作動状態となっている。住戸用受信機３ａからの有電圧信号Ｅ３の遮断により火災確定の通知を受けると、フォトカプラ１８のフォトダイオードの発光が停止してフォトトランジスタがオフとなり、インバータ２５に対する入力がＬレベルからＨレベルに立ち上がる。
【００５１】
このためインバータ２５の出力がＨレベルからＬレベルに変化し、リレー接点ｍ２が閉じられて出力許容状態となっていることから、火災確定移報リレーＳに電流が流れ、作動する。このため、そのリレー接点ｓ１が閉じ、住棟用受信機１に対する火報信号線９をＬレベルに引き込んで火災確定信号Ｅ４を出力する。中継器２ａから住棟用受信機１に対する火災確定信号Ｅ４の送出に対し、住棟用受信機１にあっては後の説明で明らかにするように、警報受信を行うと確認信号Ｅ５を返送する。
【００５２】
この確認信号Ｅ５としては、住棟用受信機１における火災代表信号の出力となる。住棟用受信機１から確認信号Ｅ５を受けた中継器２ａは、そのとき火災確定移報リレーＳの作動により閉じているリレー接点ｓ２を介して確認リレーＦを作動し、住戸用受信機３ａに対する作動信号Ｅ１の信号回線側に設けたリレー接点ｆ１を閉じると共に、住戸用受信機３ａからの保持信号Ｅ２の入力回路に設けているリレー接点ｆ２を開く。
【００５３】
リレー接点ｆ１が閉じることで、このとき保持リレーＭのリレー接点ｍ１は既に閉じて作動信号Ｅ１の保持状態にあることから、リレー接点ｆ１とリレー接点ｍ１の直列接続回路が形成され、住戸用受信機３ａに対し固定的に作動信号Ｅ１の出力を保持した状態が作り出される。このため住棟用受信機１から確認信号Ｅ５を受けた後に、火災感知器５ａの復旧で受信リレーＬが非作動となってリレー接点ｌが開いても、住戸用受信機３ａに対する作動信号Ｅ１は継続的に出力される。
【００５４】
またリレー接点ｆ２が開くことで住戸用受信機３ａからの保持信号Ｅ２の入力が切り離され、保持回路２０は住棟用受信機からの確認信号Ｅ５による保持状態に切り替わる。またリレー接点ｆ２が開くと、住戸用受信機３ａの保持信号Ｅ２の出力回路部に設けているフォトカプラ４６のフォトダイオードの発光駆動が停止し、フォトトランジスタがオフすることで制御部３２に対するフォトカプラ４６の出力がＨレベルからＬレベルに立ち下がる。
【００５５】
これによって制御部３２は、中継器２ａが住棟用受信機１からの確認信号Ｅ５で火災確定出力の保持状態に切り替わったことを認識できる。このフォトカプラ４６からのＬレベル出力を認識した制御部３２は、その後、中継器２ａが住棟用受信機１からの確認信号Ｅ５の遮断により復旧されて、リレーＦのリレー接点ｆ１が開いたときの作動信号Ｅ１の遮断による受信リレーＲの復旧を受けて初期状態に復旧することができる状態となる。
【００５６】
次に戸外表示器４ａを説明する。戸外表示器４ａは、通常時、火災信号Ｅ８を受信するための電源供給兼信号線を介して中継器２ａの定電圧回路１６が出力する＋１２Ｖの供給を受けて動作している。戸外表示器４ａには中継器２ａから出力される火災信号Ｅ８の検出回路６４が設けられる。通常時、検出回路６４に設けたリレーは非作動であるため、火災灯６６は消灯しており、またリレー接点ｅも図示のように開いている。
【００５７】
中継器２ａで住戸用受信機３ａからの保持信号Ｅ２を受けて、保持回路２０において保持動作が行われると、戸外表示器４ａに対する供給電圧を＋１２Ｖから火災信号Ｅ８となる＋２４Ｖに切り替える。検出回路６４は、この供給電圧＋２４Ｖを検出してリレーを作動し、火災灯６６を点滅させると同時にリレー接点ｅを閉じる。
【００５８】
次に住戸用受信機３ａ及び戸外表示器４ａにおける住棟用受信機１からの音声警報の出力制御を説明する。住戸用受信機３ａ及び戸外表示器４ａには音声出力制御用のリレーＢが設けられている。リレーＢのそれぞれは、住棟用受信機１からの制御信号Ｅ６ａにより作動される。即ち、住戸用受信機３ａのリレーＢはフォトカプラ６０を介して制御信号６ａを受けて作動し、そのリレー接点ｂを開いてスピーカ切替リレーＧを非作動とし、切替リレー接点ｇをトランス５８を備えた音声警報信号線１２側に切り替える。
【００５９】
また戸外表示器４ａにあっては、中継器２ａからの火災信号Ｅ８に基づいてリレー接点ｅが閉じた状態で制御信号Ｅ６ａによりリレーＢを作動して、リレー接点ｂ１をトランス７２を備えた音声警報信号線１２側に切り替え、同時にリレー接点ｂ２を閉じ、音声警報信号Ｅ７をスピーカ７０に供給可能とする。このため出火住戸の戸外表示器のみが音声出力することになる。
【００６０】
更に住戸用受信機３ａには断線検出回路４５が設けられ、中継器２ａからの作動信号Ｅ１の信号線の断線を監視している。この断線監視のため、中継器２ａ側には断線監視用の抵抗２４と直列に断線検出回路２２の断線検出リレーＤのリレー接点ｄ１を接続しており、作動信号Ｅ１の信号線及び抵抗２４を流れる微弱な電流が断たれることで断線検出を行う。また中継器２ａの断線検出回路２２で感知器回線６ａの断線を検出したときのリレー接点ｄ１の開放についても、同様にして断線検出を行い、表示部３８に断線表示を行わせる。
３．住棟用受信機
図３は図１の火災報知システムに設けた住棟用受信機１の実施形態である。住棟用受信機１は電源部９６で作り出されたＤＣ２４Ｖを電源線８により各住戸の中継器２ａ〜２ｎに供給している。中継器２ａ〜２ｎからの火報信号線９は、受信回路７４及び断線検出回路９２に接続されている。ここで火報信号線９、受信回路７４及び断線検出回路９２は、建物の警戒区域例えば階別ごとに設けられており、このため受信回路７４は火報信号線９に応じて火災確定信号Ｅ４を受信することができる。従って、制御部７６は受信回路７４からの受信出力を受けることで、出火階を判断することができる。なお図３の実施例にあっては、説明を簡単にするため、特定の階の火災信号線９のみを示している。
【００６１】
制御部７６は受信回路７４による火災確定信号Ｅ４の受信出力を受けて、表示部７８により火災警報を行う。即ち、表示部７８で代表火災灯を点灯し、同時に、火災発生階を示す地区表示灯を点灯する。更に音声合成部８６を起動してアンプ８７によりスピーカ８９から音声警報を行わせる。更に制御部７６は、火災代表リレーＦＡを作動すると同時に、階別に設けている地区リレーＲ１〜Ｒｎのうち受信した階を示す地区リレー例えば地区リレーＲ１を作動する。
【００６２】
代表火災リレーＦＡが作動されると、そのリレー接点ｆａが閉じ、中継器側に対し確認信号Ｅ５を出力する。またマトリクス回路８４に設けている作動した地区リレーＲ１のリレー接点ｒ１をオンし、予め設定してあるダイオードマトリクスに基づいて出火階及び直上階に対し制御信号Ｅ６ａ，Ｅ６ｂを出力する。同時に音声合成部８６を起動し、音声メッセージの音声信号を出力してアンプ８８で増幅した後、トランス９０を介して音声警報信号線１２に音声警報信号Ｅ７を出力し、制御信号Ｅ６ａ，Ｅ６ｂにより出火階および直上階の各住戸用受信機、及び出火住戸の戸外表示器からの音声出力を行わせる。
また断線検出回路９２は、通常時は火報信号線９及び最終段の中継器２ｎの火報信号線９間に接続している断線検出用の抵抗に流れる微弱な電流を監視しており、この監視電流が断たれると断線検出出力を制御部７６に対し行い、表示部７８に火報信号線９の断線表示を行わせる。火報信号線９の断線表示は、中継器２ａ〜２ｎ側における感知器回線６ａ〜６ｎの断線検出の際にも同様にして、断線検出とその表示が行われる。
４．システム動作
図１の火災報知システムにおいて、住戸Ａ１で火災が発生した場合を例にとってシステム動作を説明する。住戸Ａ１で火災が発生すると、感知器回線６ａに接続している火災感知器５ａが作動し、発報信号を中継器２ａに出力する。即ち、図２の中継器２ａから明らかなように、火災感知器５ａの発報により感知器回線６ａに発報電流が流れ、受信回路１４の受信リレーＬが作動し、リレー接点ｌを閉じて作動信号Ｅ１を住戸用受信機３ａに出力する。
【００６３】
この受信リレーＬの作動と同時に保持リレー回路１５の保持リレーＭも作動し、そのリレー接点ｍ１，ｍ２を閉じて火災確定信号の出力許容状態及び作動信号Ｅ１の保持許容状態を作り出す。
住戸用受信機３ａは中継器２ａから作動信号Ｅ１を受けると、受信回路３０の受信リレーＲを作動し、受信リレーＲの作動を制御部３２で検出して、第１タイマ３４及び第２タイマ３６を起動する。同時に表示部３８により警報表示を行い、また音声合成部５２を起動してスピーカ５６より警報メッセージを出力させる。
【００６４】
制御部３２は、第１タイマ３４で設定された１０秒間継続して受信リレーＲの作動状態を検出すると、作動信号Ｅ１の受信状態を保持すると共に保持リレーＨを作動し、そのリレー接点ｈを閉じて、中継器２ａに対しＬレベルとなる保持信号Ｅ２を出力する。尚、制御部３２は、第１タイマ３４で設定された１０秒間継続して受信リレーＲの作動状態が得られなかった場合は、作動信号Ｅ１が断たれ受信リレーＲが作動しなくなった時点で、第１タイマ３４、第２タイマ３６のクリアも含め住戸用受信機３ａの各回路部を初期状態に復旧させる。
【００６５】
保持信号Ｅ２を受けた中継器２ａは、リレー接点ｆ２を介して保持回路２０を作動し、保持リレーＭを火災感知器５ａが復旧しても非作動とならないように保持する。保持回路２０は、同時に戸外表示器４ａに対する供給電圧を＋１２Ｖから火災信号Ｅ８となる＋２４Ｖに変化させて火災表示を行わせる。戸外表示器４ａの検出回路６４は、火災信号Ｅ８となる＋２４Ｖを検出し、火災灯６６を点滅し、またリレーの作動によりリレー接点ｅを閉じ、リレーＢを作動可能状態とする。
【００６６】
続いて住戸用受信機３ａの制御部３２は、２〜５分の範囲内の所定時間を設定した第２タイマ３６のタイムアップを監視している。第２タイマ３６がタイムアップすると、火災確定リレーＫを作動してリレー接点ｋを開き、中継器２ａに対する有電圧信号Ｅ３を遮断することで火災確定を通知する。もちろん、第２タイマ３６がタイムアップする前に火災確定スイッチ４０のオン操作を検出すると、直ちに火災確定リレーＴを作動しリレー接点ｔを開くことで、第２タイマ３６に関係なく強制的に有電圧信号Ｅ３を遮断して火災確定を中継器２ａに通知する。
【００６７】
住戸用受信機３ａからの有電圧信号Ｅ３が火災確定に基づいて遮断されると、フォトカプラ１８の出力がそれまでのＬレベル出力からＨレベル出力に立ち上がり、インバータ２５でＬレベルに反転されて出力されることで、リレー接点ｍ２は閉じられて出力許容状態となっていることから火災確定移報リレーＳに電流が流れ作動する。
【００６８】
火災確定移報リレーＳが作動するとリレー接点ｓ１が閉じて、Ｌレベルとなる火災確定信号Ｅ４を火報信号線９を介して住棟用受信機１に出力する。またリレー接点ｓ２が閉じ、住棟用受信機１からの確認信号Ｅ５の受信可能状態を作り出す。
住棟用受信機１は図３のように、中継器２ａからの火災確定信号Ｅ４を火報信号線９を介して受信回路７４で受け、制御部７６は、受信回路７４から受信出力を受けることで、表示部７８により火災代表表示及び地区表示を行う。同時にリレー回路８２の代表火災リレーＦＡを作動すると同時に、対応する地区リレーＲ１を作動する。火災代表リレーＦＡの作動によりそのリレー接点ｆａが閉じ、中継器２ａに対し確認信号線１０を介して確認信号Ｅ５を出力する。
【００６９】
この住棟用受信機１からの確認信号Ｅ５を受けた図２の中継器２ａは、リレーＦを作動し、そのリレー接点ｆ１を閉じ、既に閉じているリレー接点ｍ１との直列回路により住戸用受信機３ａに対する作動信号Ｅ１の出力状態を継続保持する。またリレー接点ｆ２を開くことで住戸用受信機３ａからの保持信号Ｅ２の入力を切り離し、中継器２ａの保持回路２０の保持動作を住棟用受信機１からの確認信号Ｅ５により行わせる。
【００７０】
更に図３の住棟用受信機１にあっては、地区リレーＲ１の作動によりマトリクス回路８４のリレー接点ｒ１をオンし、ダイオードマトリクスで予め定められた火災発生階及びその直上階に対し制御信号Ｅ６ａ，Ｅ６ｂを出力する。火災発生階に対する制御信号Ｅ６ａは図２の住戸用受信機３ａ及び戸外表示器４ａに与えられ、リレーＢを作動する。即ち住戸用受信機３ａにあっては、制御信号Ｅ６ａによりフォトカプラ６０のフォトダイオードを発光駆動して、フォトトランジスタのオンによりリレーＢを作動し、リレー接点ｂを開くことでスピーカ切替リレーＧを非作動として、リレー接点ｇを音声警報信号線１２側に切り替える。
【００７１】
また戸外表示器４ａにあっては、リレーＢの作動でリレー接点ｂ１によりスピーカ７０を音声警報信号線１２側に切り替え、同時にリレー接点ｂ２を閉じてトランス７２に対する音声警報信号Ｅ７の入力を可能とする。出火住戸Ａ１以外の出火階の他の住戸Ａ２〜Ａｎにあっては、住戸用受信機３ｂ〜３ｎのリレーＢのみが作動してスピーカ５６を音声警報信号線１２側に切り替える。また直上階の住戸用受信機についても、制御信号Ｅ６ｂによりリレーＢの作動でスピーカ５６を音声警報信号線１２側に切り替える。
【００７２】
このような制御信号Ｅ６ａ，Ｅ６ｂの出力と共に、図３の住棟用受信機１の制御部７６は音声合成部８６を起動し、音声信号をアンプ８８で増幅した後に、スピーカ９０を介して音声警報信号線１２に音声警報信号Ｅ７として送出する。このため、図２の住戸用受信機３ａのスピーカ５６及び戸外表示器４ａのスピーカ７０に住棟用受信機１からの音声警報信号Ｅ７が供給され、例えば「ウーウー、火事です、火事です。１階で火災が発生しました。安全を確認して避難してください。」などの音声メッセージの警報出力が行われる。同時に出火階および直上階の他の住戸の住戸用受信機のスピーカからも同じ音声メッセージが出力される。
【００７３】
次に住戸側で火災感知器が誤動作により発報した場合の動作を説明する。図２の中継器２ａからの感知器回線６ａに接続している火災感知器５ａが火災以外の原因、例えばストーブやコンロ等の影響により誤動作して発報し、しかも発報状態が１０秒以上継続したとする。このような１０秒以上続く火災感知器５ａの誤動作に対し、通常の火災時と同様に中継器２ａの受信動作が行われ、作動信号Ｅ１を受けて住戸用受信機３ａで警報表示と警報音声の出力が行われる。
【００７４】
このとき制御部３２は作動信号Ｅ１の受信で第１タイマ３４及び第２タイマ３６を起動し、誤作動状態が１０秒以上継続することから、第１タイマ３４の１０秒継続して受信リレーＲの作動状態が得られ、作動信号Ｅ１の受信状態を保持すると共に、保持リレーＨを作動して中継器２ａに対しＬレベルとなる保持信号Ｅ２を出力して、中継器２ａの保持回路２０の保持動作が行われる。
【００７５】
しかしながら、第２タイマ３６のタイムアップ前に住戸内の居住者が非火災であることを確認し、これに基づいて住戸用受信機３ａに設けている復旧スイッチ４２をオン操作する。復旧スイッチ４２がオン操作されると、制御部３２は受信リレーＲの作動状態を確認する。このとき既に誤報を起こした火災感知器５ａは真火災でないことで復旧していることから、受信リレーＲは被作動状態となっている。
【００７６】
したがって、制御部３２は誤報による作動信号Ｅ１の受信と判断し、表示部３８の警報表示及び音声合成部５２による音声出力のそれぞれを停止して初期状態に復旧する。また、復旧に伴い保持リレーＨも非作動となってリレー接点ｈが開き、保持信号Ｅ２がＨレベルに戻って解除状態となり、保持回路２０の動作が復旧することで、一旦保持した保持リレー回路１５の保持リレーＭも非作動状態に復旧する。
【００７７】
このように本発明の火災報知システムにあっては、住戸用受信機３ａに設けた２〜５分の時間設定ができる第２タイマ３６のタイムアップ前については、復旧スイッチ４２の操作により警報受信に対する動作を初期状態に復旧させることができる。
次に住戸用受信機３ａに対するＡＣ１００Ｖの供給が断たれた停電状態でのシステム動作を説明する。図２の住戸用受信機３ａにおいて、電源部６２に対するＡＣ１００Ｖが断たれた停電状態にあっては、電源部６２からの電源電圧＋１２Ｖの供給を受けている住戸用受信機３ａの回路部は全て停止状態となっている。このとき中継器２ａに対する有電圧信号Ｅ３も無電圧の遮断状態となっているが、有電圧信号Ｅ３の遮断状態は中継器２ａから見ると住戸用受信機３ａから火災確定通知が行われていると同じ状態である。
【００７８】
即ち、住戸用受信機３ａが停電している状態では、中継器２ａに対しては火災確定の通知が住戸用受信機３ａから固定的に行われたことと同じ状態となる。このため、中継器２ａのフォトカプラ１８の出力はＨレベルとなり、インバータ２５の反転によるＬレベル出力で火災確定移報リレーＳが作動許容状態となっている。
【００７９】
このような住戸用受信機３ａの停電状態で火災感知器５ａが発報すると、受信回路１４の受信リレーＬが作動すると同時に、保持リレー回路１５の保持リレーＭも作動し、そのリレー接点ｍ１，ｍ２を閉じる。リレー接点ｍ２が閉じると、インバータ２５のＬレベル出力により火災確定移報リレーＳは作動許容状態にあるために直ちに作動し、リレー接点ｓ１を閉じて火災確定信号Ｅ４を住棟用受信機１に出力する。またリレー接点ｓ２を閉じることで住棟用受信機１からの確認信号Ｅ５の受信可能状態を作り出す。
【００８０】
中継器２ａからの火災確定信号Ｅ４の出力に対し、図３の住棟用受信機１における代表火災リレーＦＡの作動でそのリレー接点ｆａが閉じ、確認信号Ｅ５が送り返されて中継器２ａのリレーＦが作動し、リレー接点ｆ２を切り離して住棟用受信機１からの確認信号Ｅ５に基づいた中継器２ａの火災確定出力の保持状態が作り出される。
【００８１】
また図３の住棟用受信機１における火災確定信号Ｅ４の受信に基づく制御信号Ｅ６ａの出力で戸外表示器４ａのリレーＢが作動して、リレー接点ｂ１の切替え及びリレー接点ｂ２を閉じることでスピーカ７０が音声警報信号線１２側に接続され、住棟用受信機１からの音声警報信号Ｅ７の供給により音声メッセージを出力することができる。
【００８２】
また停電状態にある住戸用受信機３ａにあっては、停電によりスピーカ切替リレーＧが非作動となってそのリレー接点ｇを音声警報信号線１２側に切り替えている。このため、住棟用受信機１からの音声警報信号Ｅ７が住戸用受信機３ａのスピーカ５６に供給され、住戸用受信機３ａからも音声出力を行うことができる。
【００８３】
このように本発明の火災報知システムにあっては、住戸用受信機３ａに停電が起きても、停電住戸の火災監視を中央の住棟用受信機１側で行うことができ、また音声警報の出力も停電に影響されることなく、通常時と全く同様に行うことができる。
５．断線監視
次に本発明の火災報知システムにおける断線監視を説明する。本発明の火災報知システムにおける断線監視は、次の３つとなる。
【００８４】
▲１▼中継器と住戸用受信機の作動信号Ｅ１の信号線の断線監視
▲２▼中継器の感知器回線の断線監視
▲３▼中継器と住棟用受信機の間の火報信号線の断線監視
まず図２を参照して、中継器２ａと住戸用受信機３ａの作動信号Ｅ１の信号線の断線監視を説明する。作動信号Ｅ１を中継器２ａから住戸用受信機３ａに送る信号線につき、中継器２ａ側には断線検出用の抵抗２４がリレー接点ｄ１を介して接続されている。このため作動信号Ｅ１の信号線には、住戸用受信機３ａ側からの電源供給により抵抗２４で決まる微弱な監視電流が流れている。作動信号Ｅ１の信号線が断線すると、抵抗２４で決まる微弱な監視電流が断たれ、この監視電流が断たれることを住戸用受信機３ａの断線検出回路４５で検出し、制御部に断線検出出力を行い、制御部３２は表示部３８に対し断線表示を行う。
【００８５】
次に中継器２ａの感知器回線６ａの断線監視を説明する。中継器２ａから引き出された感知器回線６ａに接続した火災感知器５ａのうちの終端の火災感知器５ａには断線監視用の抵抗７が内蔵されて感知器回線６ａの終端に接続され、この抵抗７で決まる微弱な断線監視用の監視電流を感知器回線６ａに流している。この監視電流は断線検出回路２２で監視されている。
【００８６】
感知器回線６ａが断線すると、抵抗７で決まる微弱な監視電流が断たれることで断線検出回路２２が感知器回線６ａの断線を検出して、断線検出リレーＤを作動する。断線検出リレーＤが作動すると、作動信号Ｅ１の信号線側に設けているリレー接点ｄ１を開き、作動信号Ｅ１の信号線について疑似的な断線状態を作り出し、これによって住戸用受信機２ａに感知器回線６ａの断線検出を知らせる。
【００８７】
住戸用受信機３ａはリレー接点ｄ１による疑似的な断線状態を断線検出回路４５で検出し、制御部３２により表示部３８で断線表示を行う。中継器２ａの感知器回線６ａの断線検出結果は、更に住棟用受信機１に通知され、住棟用受信機１においても断線表示が行われる。
図４は中継器２ａ〜２ｎの感知器回線の断線検出結果を住棟用受信機１に通知するための実施形態である。中継器２ａ〜２ｎの各回路は基本的には図２の中継器２ａと同じであるが、同じ警戒区域に設置した終端の中継器２ｎにおける住棟用受信機１に対する火災確定信号Ｅ４の出力回路部に、断線監視用の抵抗１００を断線検出回路２２の断線検出リレーＤのリレー接点ｄ２を介して接続している。
【００８８】
更に中継器２ａ〜２ｎに設けた断線検出回路２２は、住棟用受信機１からの電源線８から＋２４Ｖの電源電圧を入力する入力端子１０２と次段の中継器の断線検出回路２２に電源電圧＋２４Ｖを出力する出力端子１０４を備えており、感知器回線６ａの断線を検出すると入力端子１０２からの＋２４Ｖを出力端子１０４に供給する。前段に位置する中継器２ａの断線検出回路２２の出力端子１０４は、断線検出渡り線１３を介して最終段の中継器２ｎの断線検出回路２２の入力端子１０２にまで途中の中継器を経由して接続されている。
【００８９】
尚、図４は中継器２ａ，２ｎを示しているが、それ以外の最終段の中継器２ｎの前段に位置する中継器についても、各断線検出回路２２の出力端子１０４が次段の中継器２ａの断線検出回路２２の入力端子１０２に並列的に接続される。
このような中継器２ａと最終段の中継器２ｎに対する断線検出渡り線１３の接続により、中継器２ａの感知器回線６ａが断線して断線検出回路２２で断線検出が行われると、入力端子１０２の電源電圧＋２４Ｖが出力端子１０４に供給され、断線検出渡り線１３を介して最終段の中継器２ｎの断線検出回路２２の入力端子１０２に供給される。
【００９０】
このため、入力端子１０２から電源電圧＋２４Ｖを受けた最終段の中継器２ｎに設けた断線検出回路２２の断線検出リレーＤが作動し、火報信号線９の終端に接続しているリレー接点ｄ２を開いて、疑似的な断線状態を作り出す。このため図３の住棟用受信機１にあっては、断線検出回路９２が火報信号線９の断線を検出し、制御部７６は表示部７８に断線表示を行わせる。
【００９１】
更に火災確定信号Ｅ４を住棟用受信機１に送る火報信号線９の断線監視は、図４のように、最終段の中継器２ｎにリレー接点ｄ２を介して断線監視用の抵抗１００を接続し、抵抗１００で決まる微弱な電流を火報信号線９に流し、これを図３の住棟用受信機１の断線検出回路９２で監視している。火報信号線９で断線があると、住棟用受信機１にあっては、断線検出回路９２が断線を検出し、制御部７６は表示部７８に断線表示を行わせる。
【００９２】
火報信号線９の住棟用受信機１における断線表示は、中継器２ａ〜２ｎの感知器回線６ａ〜６ｎの断線表示と区別できないが、感知器回線６ａ〜６ｎ側の断線については住戸用受信機３ａ〜３ｎ側でも同時に断線表示が行われていることから、住戸用受信機３ａ〜３ｎ側での断線の有無を確認することで火報用信号線８の断線か感知器回線６ａ〜６ｎ側の断線かを区別することができる。
【００９３】
尚、図１のシステム構成は、建物の特定階例えば１階の住戸Ａ１〜Ａｎを例にとっているが、実際には住棟用受信機１に対し複数階の住戸側の設備が階別に分けた住棟用受信機１との間の信号線により同様に接続されたシステム構成をとることになる。また上記の実施形態にあっては中継器２ａ〜２ｎは独立に設けているが、戸外表示器４ａ〜４ｎや住戸用受信機３ａ〜３ｎの筐体内に収納するようにしてもよい。更に、住戸用受信機３ａに設けられる第２タイマ３６の２〜５分のタイマ時間は、現場で環境に対応させて任意に可変設定することができる。
【００９４】
【発明の効果】
以上説明したように本発明の共同住宅用火報システムによれば、各住戸の火災感知器及び中継器を住棟用受信機からの電源供給により動作するようにしたため、住戸が空き等となっていることで住戸用受信機への電源供給が断たれても、その住戸の火災を確実に監視することができる。
【００９５】
また住戸用受信機から中継器への火災確定の移報信号に有電圧信号を使用し、有電圧信号の遮断を中継器で検出した場合に、住戸用受信機から火災確定の移報が行われたと判断しているため、住戸用受信機の停電時による有電圧信号の遮断時にも、火災感知器の発報を受信した際に直ちに火災確定信号を住棟用受信機に出力して住棟用受信機で火災警報を行なわせることができ、住戸側が停電しても住棟用受信機による直接的な監視ができるため、高い信頼性が得られる。
【００９６】
更に住戸用受信機の火災確定の出力に基づいて中継器から住棟用受信機に火災確定の移報が行われた後は、中継器における火災確定信号の出力状態の保持の解除は住棟用受信機からしかできず、住戸側で火災発報があった後の現場調査等を確実に行うことができる。
【図面の簡単な説明】
【図１】本発明のシステム構成のブロック図
【図２】図２の中継器、住戸用受信機及び戸外表示器の実施形態の回路ブロック図
【図３】図１の住棟用受信機の実施形態の回路ブロック図
【図４】図１の中継器相互間の断線監視機能を実現する実施形態の回路ブロック図
【符号の説明】
Ａ１〜Ａｎ：住戸
１：住棟用受信機
２ａ〜２ｎ：中継器
３ａ〜３ｎ：住戸用受信機
４ａ〜４ｎ：戸外表示器
５ａ〜５ｎ：火災感知器（自己復旧型）
６ａ〜６ｎ：感知器回線
７，２４，１００：断線検出抵抗
８：電源線
９：火報信号線
１０：確認信号線
１１：制御信号線
１２：音声警報信号線
１３：断線検出渡り線
１４，３０，７４：受信回路
１５：保持リレー回路
１６：低電圧回路
１８：フォトカプラ
２０：保持回路
２２，４５，９２：断線検出回路
３２，７６：制御部
３４：第１タイマ（１０秒）
３６：第２タイマ（２〜５分）
４０：火災確定スイッチ
４２：復旧スイッチ
４４：音響停止スイッチ
５２，８６：音声合成部
５６，７０，８９：スピーカ
６２，９６：電源部
６４：検出回路
６６：火災灯
８４：マトリクス回路
１０２：入力端子
１０４：出力端子
Ｌ，Ｒ：受信リレースイッチ
Ｂ：音声出力リレー
Ｄ：断線検出リレー
Ｆ：確認受信リレー
Ｇ：スピーカ切替リレー
Ｈ，Ｍ：保持リレー
Ｋ，Ｔ：火災確定リレー
ＦＡ：代表火災リレー
Ｒ１〜Ｒｎ：地区リレー
【図１】
0003638184.tif 000002
【図２】
0003638184.tif 000003
【図３】
0003638184.tif 000004
【図４】
0003638184.tif 000005